(57)【要約】【課題】ＧＰＳ衛星から受信した時刻情報に基づいてチャネル切り替え時のフレーム同期のタイミングを算出し、瞬時にフレーム同期を確立することが可能な無線通信端末、フレーム同期方法を提供する。【解決手段】制御チャネルと通信チャネルとのシンボルレートが異なる２つのチャネルを通じて基地局と無線通信を行う通信手段と、ＧＰＳ衛星から時刻情報を取得するＧＰＳ受信手段と、前記ＧＰＳ受信手段により取得された時刻情報に基づいて絶対時刻を算出し、前記制御チャネルから前記通信チャネルへとチャネルを切り替える際に、当該算出した絶対時刻に基づいて前記通信チャネルのフレーム同期のタイミングを算出し、当該算出したタイミングに基づいて前記通信チャネルによる通信を開始させる同期制御手段と、を備える。【選択図】図４
2011199547.tif 000002
【特許請求の範囲】
【請求項１】
制御チャネルと通信チャネルとのシンボルレートが異なる２つのチャネルを通じて基地局と無線通信を行う通信手段と、
ＧＰＳ衛星から時刻情報を取得するＧＰＳ受信手段と、
前記ＧＰＳ受信手段により取得された時刻情報に基づいて絶対時刻を算出し、前記制御チャネルから前記通信チャネルへとチャネルを切り替える際に、当該算出した絶対時刻に基づいて前記通信チャネルのフレーム同期のタイミングを算出し、当該算出したタイミングに基づいて前記通信チャネルによる通信を開始させる同期制御手段と、
を備えることを特徴とする無線通信端末。 
【請求項２】
前記ＧＰＳ受信手段は、１ＰＰＳのパルス信号を生成し、
前記同期制御手段は、前記時刻情報及び前記１ＰＰＳのパルス信号に基づいて前記絶対時刻を算出することを特徴とする請求項１に記載の無線通信端末。 
【請求項３】
前記通信手段は、前記基地局から前記制御チャネルを通じて前記時刻情報を取得し、
前記同期制御手段は、前記ＧＰＳ受信手段により前記時刻情報を取得していなかった場合に、前記制御チャネルを通じて取得した時刻情報に基づいて絶対時刻を算出することを特徴とする請求項１又は２に記載の無線通信端末。 
【請求項４】
通信手段が、制御チャネルと通信チャネルとのシンボルレートが異なる２つのチャネルを通じて基地局と無線通信を行う工程と、
ＧＰＳ受信手段が、ＧＰＳ衛星から時刻情報を取得する工程と、
同期制御手段が、前記ＧＰＳ受信手段により取得された時刻情報に基づいて絶対時刻を算出し、前記制御チャネルから前記通信チャネルへとチャネルを切り替える際に、当該算出した絶対時刻に基づいて前記通信チャネルのフレーム同期のタイミングを算出し、当該算出したタイミングに基づいて前記通信チャネルによる通信を開始させる工程と、
を含むフレーム同期方法。
【発明の詳細な説明】
【技術分野】
【０００１】
本発明は、無線通信端末、フレーム同期方法に関する。
【背景技術】
【０００２】
現在の移動体通信は、サービスエリアを小さなゾーンに分割し、各ゾーンに一つの基地局を設置して、ゾーン内に存在する複数の移動局（例えば携帯電話等の無線通信端末）と基地局とを無線接続することで実現されている。この移動体通信システムにおいては、各移動局は基地局の制御下にあり、移動局間の通信は当該基地局を中継して行われる。基地局と各移動局とは、チャネルと呼ばれる伝送路を介して通信が行われる。チャネルは、発呼要求や一斉呼出等の呼制御に係る通信データを送受信する制御チャネルと、音声通信用の通信チャネルと、に分類される。
【０００３】
現状、基地局の制御ゾーンに割り当てられる通信チャネルの数には限りがあり、各移動局に固定の通信チャネルを割り当てることはできない。従って、基地局は、移動局から制御チャネルを通じて発呼要求があった場合、空いている通信チャネルを当該移動局に対して割り当てる。この方式をマルチチャネルアクセスと呼ぶ。各移動局は、基地局により割り当てられた通信チャネルへと周波数を切り替えることで、他の移動局との通信を行うことが可能となる。
【０００４】
基地局及び各移動局間の通信でやり取りされるデータは、フレーム単位で構成されている。従って、受信側でデータを復調する際には、受信した信号をフレームごとに同期させる必要がある。
【０００５】
例えば特許文献１には、各基地局が時刻の基準となる信号（標準電波）を受信するシステムを備え、受信した標準電波に基づいてフレームを生成することで、基地局間で常にフレームが同期している状態を創出する技術が開示されている。特許文献１記載の発明によれば、例えばある移動局が通信中に隣接する基地局間を跨いで移動したような場合、通信対象となる基地局が変わるため通信チャネルの切り替えが必要となるが、チャネルの切り替えに伴うフレームの再同期を必要としないので、通信を途切れさせることなくチャネルの切り替えを行うことが可能となる。
【０００６】
一方、制御チャネルから通信チャネルへと切り替えを行う際にもフレームを同期させる処理が必要となるが、従来は信号の変調タイミングを表すシンボルレートが両チャネルで一致していたため、フレームを構成するシンボルを同期させることなく即座にフレーム同期処理を行うことが可能であった。しかしながら、無線通信の複雑化に伴い、両チャネルのシンボルレートが異なる通信方式（例えばＡＰＣＯ  Ｐ−２５  Ｐｈａｓｅ２等）が登場したことにより、従来に比べフレーム同期に時間が掛かることが懸念され、問題となっている。
【先行技術文献】
【特許文献】
【０００７】
【特許文献１】特開平５−３０００７８号公報
【発明の概要】
【発明が解決しようとする課題】
【０００８】
従来の移動体通信システムでは、両チャネルのシンボルレートが異なる場合、まずフレームを構成するシンボルの同期処理を行った後、さらにフレームの同期処理を行う必要がある。そのため、同期が確立するまでに時間が掛かってしまい、不便であった。
【０００９】
瞬時にフレーム同期を確立するには、時刻情報を取得し、取得した時刻情報に基づいてフレーム同期のタイミングを算出する必要があるが、例えば上記特許文献１記載の発明に係る標準電波からは時刻情報を取得することができない。
【００１０】
本発明は、ＧＰＳ衛星から受信した時刻情報に基づいてチャネル切り替え時のフレーム同期のタイミングを算出し、瞬時にフレーム同期を確立することが可能な無線通信端末、フレーム同期方法を提供することを目的とする。
【課題を解決するための手段】
【００１１】
本発明は、上記目的を達成するためになされたものであり、無線通信端末において、制御チャネルと通信チャネルとのシンボルレートが異なる２つのチャネルを通じて基地局と無線通信を行う通信手段と、ＧＰＳ衛星から時刻情報を取得するＧＰＳ受信手段と、前記ＧＰＳ受信手段により取得された時刻情報に基づいて絶対時刻を算出し、前記制御チャネルから前記通信チャネルへとチャネルを切り替える際に、当該算出した絶対時刻に基づいて前記通信チャネルのフレーム同期のタイミングを算出し、当該算出したタイミングに基づいて前記通信チャネルによる通信を開始させる同期制御手段と、を備えることを特徴とする。
【００１２】
また、本発明は、無線通信端末において、前記ＧＰＳ受信手段は、１ＰＰＳのパルス信号を生成し、前記同期制御手段は、前記時刻情報及び前記１ＰＰＳのパルス信号に基づいて前記絶対時刻を算出することを特徴とする。
【００１３】
また、本発明は、無線通信端末において、前記通信手段は、前記基地局から前記制御チャネルを通じて前記時刻情報を取得し、前記同期制御手段は、前記ＧＰＳ受信手段により前記時刻情報を取得していなかった場合に、前記制御チャネルを通じて取得した時刻情報に基づいて絶対時刻を算出することを特徴とする。
【００１４】
また、本発明は、通信手段が、制御チャネルと通信チャネルとのシンボルレートが異なる２つのチャネルを通じて基地局と無線通信を行う工程と、ＧＰＳ受信手段が、ＧＰＳ衛星から時刻情報を取得する工程と、同期制御手段が、前記ＧＰＳ受信手段により取得された時刻情報に基づいて絶対時刻を算出し、前記制御チャネルから前記通信チャネルへとチャネルを切り替える際に、当該算出した絶対時刻に基づいて前記通信チャネルのフレーム同期のタイミングを算出し、当該算出したタイミングに基づいて前記通信チャネルによる通信を開始させる工程と、を含むフレーム同期方法である。
【発明の効果】
【００１５】
本発明によれば、ＧＰＳ衛星から受信した時刻情報に基づいてチャネル切り替え時のフレーム同期のタイミングを算出し、瞬時にフレーム同期を確立することが可能な無線通信端末、フレーム同期方法を提供することができる。
【図面の簡単な説明】
【００１６】
【図１】本実施形態に係る移動体通信システム１の概念説明図である。
【図２】本実施形態に係る基地局１００の概略構成を示すブロック図である。
【図３】本実施形態に係る無線通信端末２００の概略構成を示すブロック図である。
【図４】本実施形態に係る無線通信端末２００内で行われるチャネル切替処理の一例について示したフローチャートである。
【図５】制御チャネルから通信チャネルへとチャネルを切り替える際にフレーム同期のタイミングを算出してフレーム同期を確立する様子の一例について説明した図である。
【図６】ＧＰＳ受信部２０２を備えていない無線通信端末２００内で行われるチャネル切替処理の一例について示したフローチャートである。
【発明を実施するための形態】
【００１７】
以下、本発明の実施の形態を図面に基づいて説明する。
【００１８】
図１は、本実施形態に係る移動体通信システム１の概念説明図である。
図１に示すように、移動体通信システム１は、サービスエリアを小さなゾーンＺに分割し、各ゾーンＺに一つの基地局１００を設置することで、ゾーンＺ内に存在する複数の移動局（以下、無線通信端末２００）と無線通信を行うことが可能となっている。
各無線通信端末２００は、基地局１００との間で無線通信を確立することによって、他の無線通信端末２００との音声通信（通話）を行うことが可能である。具体的には、基地局１００及び各無線通信端末２００は、制御チャネルを利用して発呼要求や一斉呼出等の呼制御に係るデータの伝送を行い、通信チャネルを利用して音声データの伝送を行う。
また、基地局１００及び各無線通信端末２００は、ＧＰＳ衛星３００から発せられたＧＰＳ信号を受信する。ＧＰＳ信号には、基地局１００又は各無線通信端末２００の現在位置情報のみならず、ＧＰＳ衛星３００に搭載された原子時計からの時刻情報及びＧＰＳ衛星３００の軌道情報等が含まれている。
【００１９】
図２は、本実施形態に係る基地局１００の概略構成を示すブロック図である。
図２に示すように、基地局１００は、通信部１０１と、ＧＰＳ受信部１０２と、制御部１０３と、を備えて構成されている。
【００２０】
通信部１０１は、通信アンテナ１０１ａや変調／復調回路等で構成され、基地局１００自身の制御ゾーン内に存在する無線通信端末２００との間でチャネル（互いにシンボルレートが異なる制御チャネル又は通信チャネル）を介した無線通信を行う。具体的には、フレーム単位で構成された送信用データを変調／復調回路でデジタル変調し、変調した電波を通信アンテナ１０１ａから無線通信端末２００に向けて送信する。送信用データは、例えば発呼信号を送信してきた無線通信端末２００に対して空いている通信チャネルを指定するチャネル指定情報、制御ゾーン内のすべての無線通信端末２００に制御チャネルを通じて定期的にブロードキャスト送信されるＳＹＮＣ＿ＢＣＳＴメッセージである。このＳＹＮＣ＿ＢＣＳＴメッセージは、ＧＰＳ受信部１０２で受信したＧＰＳ信号に含まれる時刻情報を各無線通信端末２００に報知するためのデータである。また、通信部１０１は、無線通信端末２００から送信された電波を通信アンテナ１０１ａで受信し、制御部１０３から出力された同期制御信号に従って、受信した電波を変調／復調回路でフレーム単位のデジタルデータ（例えば無線通信端末２００からの通信要求を示す発呼信号）に復調する。復調されたデジタルデータは、制御部１０３へと出力される。
【００２１】
ＧＰＳ受信部１０２は、ＧＰＳアンテナ１０２ａやＧＰＳセンサ等で構成され、ＧＰＳ衛星３００から送信されるＧＰＳ信号を、ＧＰＳアンテナ１０２ａを通じて受信する。また、ＧＰＳ受信部１０２は、通信部１０１におけるフレーム同期のタイミングを算出するのに必要な絶対時刻を算出するための１ＰＰＳ（Pulse Per Second）のパルス信号（以下、１ＰＰＳパルス）を生成する。そして、ＧＰＳ受信部１０２は、受信したＧＰＳ信号に含まれる時刻情報と、生成した１ＰＰＳパルスと、を制御部１０３へと出力する。
【００２２】
制御部１０３は、例えばＣＰＵ（Central Processing Unit）、ＲＡＭ（Random Access Memory）、ＲＯＭ（Read Only Memory）等を備えて構成され、基地局１００の各部を制御する。
ＣＰＵは、ＲＯＭに格納された処理プログラム等を読み出してＲＡＭに展開し、この展開されたプログラムとの協働で各種処理を実行することにより、基地局１００全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば半導体メモリで構成され、処理プログラムやデータ等が予め記憶されている。
【００２３】
また、制御部１０３は、通信部１０１から出力された発呼信号を送信してきた無線通信端末２００に対して空いている通信チャネルを指定するチャネル指定情報を生成し、当該生成したチャネル指定情報を通信部１０１により当該無線通信端末２００に向けて送信させる。
【００２４】
また、制御部１０３は、ＧＰＳ受信部１０２から出力された時刻情報及び１ＰＰＳパルスに基づいて絶対時刻を算出し、当該算出した絶対時刻に基づいてフレーム同期のタイミングを制御するための同期制御信号を生成し、通信部１０１へと出力する。
【００２５】
図３は、本実施形態に係る無線通信端末２００の概略構成を示すブロック図である。
図３に示すように、無線通信端末２００は、通信部２０１と、ＧＰＳ受信部２０２と、制御部２０３と、を備えて構成されている。
【００２６】
通信部２０１は、通信アンテナ２０１ａや変調／復調回路、ＤＳＰ等で構成され、無線通信端末２００自身が存在するゾーンを制御する基地局１００との間でチャネル（互いにシンボルレートが異なる制御チャネル又は通信チャネル）を介した無線通信を行う。具体的には、フレーム単位で構成された送信用データを変調／復調回路でデジタル変調し、変調した電波を通信アンテナ２０１ａから基地局１００に向けて送信する。送信用データは、例えば基地局１００に対して通信を要求するための発呼信号である。また、基地局１００から送信された電波を通信アンテナ２０１ａで受信し、制御部２０３から出力された同期制御信号に従って、受信した電波を変調／復調回路でフレーム単位のデジタルデータ（例えばチャネル指定情報やＳＹＮＣ＿ＢＣＳＴメッセージ）に復調する。復調されたデジタルデータは、制御部２０３へと出力される。
【００２７】
なお、通信部２０１は、基地局１００との通信において、制御チャネルから通信チャネルへとチャネルを切り替える際にＳＹＮＣ＿ＢＣＳＴメッセージを受信していなかった場合、受信した電波から各フレームの所定の位置に格納される同期ワードを複数検出し、当該検出された同期ワードの位置に基づいてフレーム同期のタイミングを算出し、当該算出したフレームタイミング情報を制御部２０３へと出力する。その後、通信部２０１は、制御部２０３で生成された同期制御信号に従って、受信電波に対し復調処理を行う。
【００２８】
ＧＰＳ受信部２０２は、ＧＰＳアンテナ２０２ａやＧＰＳセンサ等で構成され、ＧＰＳ衛星３００から送信されるＧＰＳ信号を、ＧＰＳアンテナ２０２ａを通じて受信する。また、ＧＰＳ受信部２０２は、通信部２０１におけるフレーム同期のタイミングを算出するのに必要な絶対時刻を算出するための１ＰＰＳパルスを生成する。そして、ＧＰＳ受信部２０２は、受信したＧＰＳ信号に含まれる時刻情報と、生成した１ＰＰＳパルスと、を制御部２０３へと出力する。
【００２９】
制御部２０３は、例えばＣＰＵ（Central Processing Unit）、ＲＡＭ（Random Access Memory）、ＲＯＭ（Read Only Memory）等を備えて構成され、無線通信端末２００の各部を制御する。
ＣＰＵは、ＲＯＭに格納された処理プログラム等を読み出してＲＡＭに展開し、この展開されたプログラムとの協働で各種処理を実行することにより、無線通信端末２００全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば半導体メモリで構成され、処理プログラムやデータ等が予め記憶されている。ＲＯＭには、例えば基地局１００との通信において、制御チャネルから通信チャネルへとチャネルを切り替える際に、時刻情報（絶対時刻）に基づいて算出したフレーム同期のタイミングでフレーム同期を確立するチャネル切替プログラム等が記憶されている。
【００３０】
また、制御部２０３は、ＧＰＳ受信部２０２から出力された時刻情報及び１ＰＰＳパルスに基づいて絶対時刻を算出し、制御チャネルから通信チャネルへとチャネルを切り替える際に、当該算出した絶対時刻に基づいてフレーム同期のタイミングを制御するための同期制御信号を生成し、通信部２０１へと出力することで通信チャネルによる通信を開始させる。
【００３１】
また、制御部２０３は、制御チャネルから通信チャネルへとチャネルを切り替える際にＳＹＮＣ＿ＢＣＳＴメッセージを受信していた場合は、このＳＹＮＣ＿ＢＣＳＴメッセージに含まれている時刻情報に基づいて絶対時刻を算出し、当該算出した絶対時刻に基づいて同期制御信号を生成し、通信部２０１へと出力する。一方、チャネルを切り替える際にＳＹＮＣ＿ＢＣＳＴメッセージを受信していなかった場合は、通信部２０１で算出されたフレームタイミング情報に基づいて同期制御信号を生成し、通信部２０１へと出力する。
【００３２】
次に、本実施形態に係る無線通信端末２００の動作について説明する。
図４は、本実施形態に係る無線通信端末２００内で行われるチャネル切替処理の一例について示したフローチャートである。このチャネル切替処理は、ユーザにより端末の電源がＯＮされたことを契機に、ＣＰＵがＲＯＭに格納されているチャネル切替プログラムを実行することにより実現される。
【００３３】
図４に示すように、ステップＳ１０１では、ユーザにより通信を開始するための通信ボタンが押下されたか否かを判定する。通信ボタンが押下されたと判定した場合（ステップＳ１０１：ＹＥＳ）は、ステップＳ１０２へと移行する。一方、通信ボタンが押下されていないと判定した場合（ステップＳ１０１：ＮＯ）は、特に処理を行わず、通信ボタンの押下を待機する状態となる。
ステップＳ１０２では、制御チャネルを通じて基地局に対し発呼信号を送信する。
ステップＳ１０３では、基地局から空いている通信チャネルの指定情報を受信する。
ステップＳ１０４では、制御チャネルからステップＳ１０３で指定された通信チャネルへと周波数を切り替える。
【００３４】
ステップＳ１０５では、ＧＰＳ衛星３００から時刻情報を取得しているか否かを判定する。ＧＰＳ衛星３００から時刻情報を取得していると判定した場合（ステップＳ１０５：ＹＥＳ）は、ステップＳ１０４でチャネルの切り替えが行われる際に、既にフレーム同期のタイミングが算出されているので、ステップＳ１０８へと移行する。一方、ＧＰＳ衛星３００から時刻情報を取得していないと判定した場合（ステップＳ１０５：ＮＯ）は、未だフレーム同期のタイミングが算出されていないので、ステップＳ１０６へと移行する。
【００３５】
ステップＳ１０６では、基地局１００から時刻情報（ＳＹＮＣ＿ＢＣＳＴメッセージ）を取得しているか否かを判定する。このＳＹＮＣ＿ＢＣＳＴメッセージは、制御チャネルを通じて定期的に取得される情報であり、基地局１００から制御下の全無線通信端末２００に向けて「報知情報」としてブロードキャスト送信される。基地局１００からＳＹＮＣ＿ＢＣＳＴメッセージを取得していると判定した場合（ステップＳ１０６：ＹＥＳ）は、ステップＳ１０４でチャネルの切り替えが行われる際に、既にフレーム同期のタイミングが算出されているので、ステップＳ１０８へと移行する。一方、基地局１００からＳＹＮＣ＿ＢＣＳＴメッセージを取得していないと判定した場合（ステップＳ１０６：ＮＯ）は、未だフレーム同期のタイミングが算出されていないので、ステップＳ１０７へと移行する。
【００３６】
ステップＳ１０７では、フレーム同期処理を行う。このフレーム同期処理は、通信チャネルを通じて受信した電波から各フレームの所定の位置に格納された同期ワードを複数検出し、当該検出された同期ワードの位置に基づいてフレーム同期のタイミングを算出することにより、受信電波をフレーム単位のデジタルデータに復調させるための処理である。
ステップＳ１０８では、通信チャネルによる通信を開始する。
【００３７】
次に、制御チャネルから通信チャネルへとチャネルを切り替える際にフレーム同期のタイミングを算出してフレーム同期を確立する様子の一例について、図５を用いて説明する。
図５に示すように、制御チャネルＣ１と通信チャネルＣ２とは、通過するフレームの長さを示すフレームレートが互いに異なる状態で通信が行われている。また、制御チャネルＣ１と通信チャネルＣ２とは、図示はしていないが、通過する各フレームを構成するシンボルの長さを示すシンボルレートが互いに異なる状態で通信が行われている。
【００３８】
両チャネルでは、通過するフレームの切れ目が一致する絶対時刻Ｔを基準として、通過する各フレームに順次フレーム番号が設定されている。この絶対時刻Ｔは、ＧＰＳ受信部２０２で受信した時刻情報又は基地局１００からのＳＹＮＣ＿ＢＣＳＴメッセージを通じて取得した時刻情報に基づいて算出された絶対的な時刻の基準であり、毎時００分００秒から３分おきに表れる。なお、絶対時刻Ｔが算出されていない場合（例えば図４のステップＳ１０６でＮＯの場合）、制御チャネルＣ１から通信チャネルＣ２へとチャネルを切り替える際、制御チャネルＣ１での通信は同期が取れた状態であるが、通信チャネルＣ２での通信は制御チャネルＣ１とシンボルレート及びフレームレートが異なるため、通信チャネルＣ２で次に来るフレームの頭（切れ目）の位置を即座に認識することができない。従って、チャネル切り替えの際には、シンボル同期及びフレーム同期を行った後に通信チャネルＣ２での通信を開始することとなる。
【００３９】
ここで、基地局１００と無線通信端末２００とが制御チャネルＣ１を利用した通信を行っている際に、基地局１００が例えばフレーム番号が２のフレーム（図中Ｆ１）で通信チャネルＣ２への切り替えを指示する情報（以下、切り替え指示情報）を送信した場合を例示して説明する。
【００４０】
まず、絶対時刻Ｔが算出されている場合、切り替え指示情報を含むフレームＦ１の位置に基づいて、通信チャネルＣ２で次に来るフレームの頭（図中Ａ）の位置を計算により算出することができるので、フレームＦ２から通信を開始することができる。
【００４１】
一方、絶対時刻Ｔが算出されていない場合、通信チャネルＣ２を通過する信号から各フレームの所定の位置に格納される同期ワード（図中ＳＷ）を複数検出し、当該検出された同期ワードの位置に基づいてフレームの頭の位置を算出する処理（フレーム同期処理）を行う。すなわち、フレーム同期処理を行うには、最低でも２つの同期ワードを検出する必要があるため、通信の開始は早くともフレームＦ３からとなる。また、フレーム同期処理を行うには、それ以前にフレームを構成するシンボルが同期している必要があり、シンボル同期の確立に時間が掛かった場合、通信の開始はさらに遅れることとなる。
【００４２】
このように、本実施形態に係る無線通信端末２００は、ＧＰＳ受信部２０２で受信した時刻情報に基づいてフレーム同期のタイミングを算出することができるので、ＳＹＮＣ＿ＢＣＳＴメッセージを受信していない場合であっても、チャネル切り替えの際に瞬時にフレーム同期を確立することができる。
【００４３】
一方、ＧＰＳ受信部２０２により時刻情報を取得していなかった場合でも、制御チャネルを通じて取得した時刻情報（ＳＹＮＣ＿ＢＣＳＴメッセージ）に基づいて絶対時刻を算出することができるので、より安定的な通信の確立を保証することができる。
【００４４】
また、ＧＰＳ受信部２０２を通じて定期的に時刻情報を取得することができるので、ＳＹＮＣ＿ＢＣＳＴメッセージの受信を定期的に行う必要がなく、通信の負担を軽減することができる。
【００４５】
以上、本発明に係る実施形態に基づいて具体的に説明したが、本発明は上記実施形態に限定されるものではなく、その要旨を逸脱しない範囲で変更可能である。
【００４６】
例えば、上記実施形態では、基地局１００は、ＧＰＳ衛星３００からのＧＰＳ信号を受信することで時刻情報を取得するようにしているが、この限りではない。例えば正確な時刻情報を保持する時刻管理サーバ等とインターネット接続することで、時刻情報を取得するようにしてもよい。
【００４７】
また、上記実施形態では、図４に示したチャネル切替処理のフローチャートで、ＧＰＳ衛星から時刻情報を取得しているか判定してからＳＹＮＣ＿ＢＣＳＴメッセージを取得しているか判定するようにしているが、処理の順番は逆になってもよい。すなわち、ステップ１０５の処理とステップＳ１０６の処理とを入れ替えてもよい。
【００４８】
なお、上記実施形態では、ＧＰＳ受信部２０２を備えた無線通信端末２００に本発明を適用した場合について説明しているが、無線通信端末２００がＧＰＳ受信部２０２を備えていない場合におけるチャネル切替処理の一例について、図６のフローチャートを用いて説明する。
【００４９】
図６に示すように、ステップＳ２０１〜ステップＳ２０４は、図４に示したチャネル切替処理におけるステップＳ１０１〜１０４と同様の処理を行うので、説明を省略する。
【００５０】
ステップＳ２０５では、基地局から時刻情報（ＳＹＮＣ＿ＢＣＳＴメッセージ）を取得しているか否かを判定する。基地局からＳＹＮＣ＿ＢＣＳＴメッセージを取得していると判定した場合（ステップＳ２０５：ＹＥＳ）は、ステップＳ２０４でチャネルの切り替えが行われる際に、既にフレーム同期のタイミングが算出されているので、ステップＳ２０７へと移行する。一方、基地局からＳＹＮＣ＿ＢＣＳＴメッセージを取得していないと判定した場合（ステップＳ２０５：ＮＯ）は、未だフレーム同期のタイミングが算出されていないので、ステップＳ２０６へと移行する。
ステップＳ２０６では、フレーム同期処理を行う。
ステップＳ２０７では、通信チャネルによる通信を開始する。
【００５１】
このように、ＧＰＳ受信部２０２を備えていない無線通信端末２００は、基地局１００との通信において、制御チャネルから通信チャネルへとチャネルを切り替える際、時刻情報（ＳＹＮＣ＿ＢＣＳＴメッセージ）を受信しているか否かを判定し、時刻情報を受信している場合は、時刻情報に基づいてチャネルを切り替えるタイミング（フレーム同期のタイミング）を算出し、当該算出されたタイミングで瞬時にフレーム同期を確立することを可能としている。
【００５２】
その他、移動体通信システム１を構成する各装置（基地局１００及び無線通信端末２００）の細部構成及び細部動作に関しても、本発明の趣旨を逸脱することのない範囲で適宜変更可能である。
【符号の説明】
【００５３】
１  移動体通信システム
１００  基地局
１０１  通信部
１０１ａ  通信アンテナ
１０２  ＧＰＳ受信部
１０２ａ  ＧＰＳアンテナ
１０３  制御部
２００  無線通信端末
２０１  通信部
２０１ａ  通信アンテナ
２０２  ＧＰＳ受信部
２０２ａ  ＧＰＳアンテナ
２０３  制御部
３００  ＧＰＳ衛星 
【図１】
2011199547.tif 000003
【図２】
2011199547.tif 000004
【図３】
2011199547.tif 000005
【図４】
2011199547.tif 000006
【図５】
2011199547.tif 000007
【図６】
2011199547.tif 000008